【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータの複数のレイヤを備えるビットストリームについてビデオパラメータセット（ＶＰＳ）を復号すること、を備え、ビデオデータの前記複数のレイヤのそれぞれは前記ＶＰＳを参照し、前記ＶＰＳを復号することは、
ビデオデータの前記複数のレイヤのうちの少なくとも１つにおいて並べ替えられるフレームの数を示す前記ＶＰＳのデータを復号することと、
ビデオデータの前記複数のレイヤの復号中に復号ピクチャバッファ（ＤＰＢ）に記憶されるピクチャの数を示す前記ＶＰＳのデータを復号することと、
ビデオデータの前記複数のレイヤを含む前記ビットストリーム中の時間レイヤの最大数を示す前記ＶＰＳのデータを復号することと、
ビデオデータの前記複数のレイヤを示す前記ビットストリーム中のビューの最大数を示す前記ＶＰＳのデータを復号することと、
特性インジケータへのサンプルインデックスのマッピングを定義する情報を復号することと、ここで、前記マッピングを定義する前記情報を復号することは、複数の従属インデックスの各々についてのそれぞれの空間解像度、複数の時間インデックスの各々についてのフレームレート、または複数のビューインデックスの各々についてのビュー識別子、のうちの１つまたは複数を復号することを備え、
前記ＶＰＳに少なくとも部分的に基づいてビデオデータの前記複数のレイヤを復号することと、
を備える方法。
【請求項２】
前記ＶＰＳを復号することは、仮想参照デコーダ（ＨＲＤ）パラメータの１つまたは複数のセットを示す前記ＶＰＳのデータを復号することをさらに備える、請求項１に記載の方法。
【請求項３】
前記ＶＰＳを復号することは、前記ＶＰＳが対応する規格を超える拡張を含むかどうかを示す前記ＶＰＳのデータと、前記ＶＰＳが前記拡張を含むときの前記拡張のためのデータとを復号することをさらに備える、請求項１に記載の方法。
【請求項４】
ビデオデータの前記複数のレイヤを復号することは、高効率ビデオコーディング（ＨＥＶＣ）に従ってビデオデータの前記複数のレイヤを復号することを備える、請求項１に記載の方法。
【請求項５】
ビデオデータの前記複数のレイヤを復号することは、マルチビュービデオコーディング（ＭＶＣ）またはスケーラブルビデオコーディング（ＳＶＣ）のうちの少なくとも１つに従ってビデオデータの前記複数のレイヤを復号することを備える、請求項１に記載の方法。
【請求項６】
前記ＶＰＳを復号することは、ビデオデータの前記複数のレイヤの１つまたは複数の次元について、ビデオデータの前記複数のレイヤにおける優先レイヤの数、ビデオデータの前記複数のレイヤにおける従属レイヤの数、ビデオデータの前記複数のレイヤにおける時間レイヤの数、またはビデオデータの前記複数のレイヤにおける前記従属レイヤのいずれかについての品質レイヤの最大数、のうちの１つまたは複数を指定する情報を復号することを備える、請求項１に記載の方法。
【請求項７】
ビデオデータの前記複数のレイヤのサブセットが、同じ空間解像度および同じビット深度を有するとき、前記サブセットの前記レイヤの各々は、前記従属レイヤのうちの異なる１つに対応する、請求項６に記載の方法。
【請求項８】
前記マッピングを定義する前記情報を復号することは、ビデオデータの前記複数のレイヤの次元の特性を定義する特性インジケータが０からサンプル次元カウンタ−１までのインデックス範囲内にないとき、複数の特性インデックスの各々についてのそれぞれの特性インジケータを指定する情報を復号することを備え、前記カウンタは、インデックスによって定義される、請求項７に記載の方法。
【請求項９】
前記マッピングを定義する前記情報を復号することは、複数のビット深度インデックスの各々のルミナンスおよびクロミナンスについての特定の深度値の対、または複数のクロミナンスサンプリングフォーマットの各々についての特定のクロミナンスサンプリングフォーマットインジケータのうちの１つまたは複数を復号することを備える、請求項７に記載の方法。
【請求項１０】
前記ＶＰＳを復号することは、制御パラメータ、および１つまたは複数のツール有効化／無効化フラグを定義する情報を復号することを備える、請求項１に記載の方法。
【請求項１１】
前記制御パラメータおよび前記１つまたは複数のツール有効化／無効化フラグは、ｐｃｍ＿ｂｉｔ＿ｄｅｐｔｈ＿ｌｕｍａ＿ｍｉｎｕｓ１、ｐｃｍ＿ｂｉｔ＿ｄｅｐｔｈ＿ｃｈｒｏｍａ＿ｍｉｎｕｓ１、ｌｏｏｐ＿ｆｉｌｔｅｒ＿ａｃｒｏｓｓ＿ｓｌｉｃｅ＿ｆｌａｇ、ｐｃｍ＿ｌｏｏｐ＿ｆｉｌｔｅｒ＿ｄｉｓａｂｌｅ＿ｆｌａｇ、ｔｅｍｐｏｒａｌ＿ｉｄ＿ｎｅｓｔｉｎｇ＿ｆｌａｇ、１つまたは複数のタイル関連のシンタックス要素、ｃｈｒｏｍａ＿ｐｒｅｄ＿ｆｒｏｍ＿ｌｕｍａ＿ｅｎａｂｌｅｄ＿ｆｌａｇ、ｓａｍｐｌｅ＿ａｄａｐｔｉｖｅ＿ｏｆｆｓｅｔ＿ｅｎａｂｌｅｄ＿ｆｌａｇ、ａｄａｐｔｉｖｅ＿ｌｏｏｐ＿ｆｉｌｔｅｒ＿ｅｎａｂｌｅｄ＿ｆｌａｇ、またはｉｎｔｅｒ＿４×４＿ｅｎａｂｌｅｄ＿ｆｌａｇのうちの１つまたは複数を備える、請求項１０に記載の方法。
【請求項１２】
前記ＶＰＳを復号することは、１つまたは複数のオペレーションポイント記述子を定義する情報を復号することを備える、請求項１に記載の方法。
【請求項１３】
前記１つまたは複数のオペレーションポイント記述子を定義する前記情報を復号することは、最大オペレーションポイントの数、異なるレイヤまたはビュー間の従属性、前記オペレーションポイントの各々についてのプロファイルおよびレベル、または前記オペレーションポイントの各々についてのビットレートのうちの１つまたは複数を定義する情報を復号することを備える、請求項１２に記載の方法。
【請求項１４】
ビデオデータの前記複数のレイヤの各々についてのそれぞれのレイヤードシーケンスパラメータセット（ＬＰＳ）を復号することをさらに備え、前記ＶＰＳに少なくとも部分的に基づいてビデオデータの前記複数のレイヤを復号することは、前記ＶＰＳおよび前記それぞれのＬＰＳに少なくとも部分的に基づいてビデオデータの前記複数のレイヤを復号することを備える、請求項１に記載の方法。
【請求項１５】
ビデオデータの前記複数のレイヤの各々についての前記それぞれのＬＰＳを復号することは、各次元について、各次元に対するインデックスを示すサンプル次元表示を定義する情報を復号することを備える、請求項１４に記載の方法。
【請求項１６】
ビデオデータの前記複数のレイヤの各々についての前記それぞれのＬＰＳを復号することは、制御パラメータおよびツール有効化／無効化フラグを定義する情報を復号することを備える、請求項１４に記載の方法。
【請求項１７】
前記制御パラメータおよび前記１つまたは複数のツール有効化／無効化フラグは、ｐｃｍ＿ｂｉｔ＿ｄｅｐｔｈ＿ｌｕｍａ＿ｍｉｎｕｓ１、ｐｃｍ＿ｂｉｔ＿ｄｅｐｔｈ＿ｃｈｒｏｍａ＿ｍｉｎｕｓ１、ｌｏｏｐ＿ｆｉｌｔｅｒ＿ａｃｒｏｓｓ＿ｓｌｉｃｅ＿ｆｌａｇ、ｐｃｍ＿ｌｏｏｐ＿ｆｉｌｔｅｒ＿ｄｉｓａｂｌｅ＿ｆｌａｇ、１つまたは複数のタイル関連のシンタックス要素、ｃｈｒｏｍａ＿ｐｒｅｄ＿ｆｒｏｍ＿ｌｕｍａ＿ｅｎａｂｌｅｄ＿ｆｌａｇ、ｓａｍｐｌｅ＿ａｄａｐｔｉｖｅ＿ｏｆｆｓｅｔ＿ｅｎａｂｌｅｄ＿ｆｌａｇ、ａｄａｐｔｉｖｅ＿ｌｏｏｐ＿ｆｉｌｔｅｒ＿ｅｎａｂｌｅｄ＿ｆｌａｇ、またはコーディングユニット（ＣＵ）ハイアラーキのうちの１つまたは複数を備える、請求項１６に記載の方法。
【請求項１８】
ビデオデータの前記複数のレイヤの各々についての前記それぞれのＬＰＳを復号することは、スライス、スライスのグループ、ピクチャ、または共通のピクチャパラメータセット（ＰＰＳ）を参照するいくつかのピクチャのうちの少なくとも１つに適用する１つまたは複数の他のパラメータセットの情報を定義する情報を復号することを備える、請求項１４に記載の方法。
【請求項１９】
１つまたは複数のピクチャパラメータセット（ＰＰＳ）が、前記ＶＰＳを参照せず、かつ、ビデオデータの前記複数のレイヤのレイヤードシーケンスパラメータセット（ＬＰＳ）を参照しないように、前記１つまたは複数のＰＰＳを復号することをさらに含む、請求項１に記載の方法。
【請求項２０】
前記ＶＰＳに少なくとも部分的に基づいてビデオデータの前記複数のレイヤを復号することは、前記ＶＰＳ、前記ＰＰＳ、および前記ＬＰＳに少なくとも部分的に基づいてビデオデータの前記複数のレイヤを復号すること、を備え、前記ＰＰＳのうちの１つのシンタックス要素が前記ＶＰＳまたは前記ＬＰＳのうちのそれぞれ１つと相反するとき、前記ＰＰＳのうちの前記１つの前記シンタックス要素に基づいてビデオデータの前記複数のレイヤのうちの対応する１つを復号する、請求項１９に記載の方法。
【請求項２１】
ビデオデータの前記複数のレイヤについての、前記ＶＰＳを含む、すべてのパラメータセットを一緒にグルーピングするグルーピングパラメータセット（ＧＰＳ）を復号することをさらに備える、請求項１に記載の方法。
【請求項２２】
前記ＧＰＳを復号することは、前記ＧＰＳの識別子を定義する情報を復号することを備え、前記方法は、前記ＧＰＳの前記識別子に対応するスライスヘッダの情報を復号することをさらに備える、請求項２１に記載の方法。
【請求項２３】
前記ＶＰＳを復号することは、前記ＶＰＳをパーシングすることを備える、請求項１に記載の方法。
【請求項２４】
ビデオデータを復号するためのデバイスであって、
ビデオデータの複数のレイヤを備えるビットストリームについてビデオパラメータセット（ＶＰＳ）を復号するように構成され、ビデオデータの前記複数のレイヤのそれぞれは前記ＶＰＳを参照し、前記ＶＰＳを復号するように構成された前記ビデオデコーダは、
ビデオデータの前記複数のレイヤのうちの少なくとも１つにおいて並べ替えられるフレームの数を示す前記ＶＰＳのデータを復号し、
ビデオデータの前記複数のレイヤの復号中に復号ピクチャバッファ（ＤＰＢ）に記憶されるピクチャの数を示す前記ＶＰＳのデータを復号し、
ビデオデータの前記複数のレイヤを含む前記ビットストリーム中の時間レイヤの最大数を示す前記ＶＰＳのデータを復号し、
ビデオデータの前記複数のレイヤを示す前記ビットストリーム中のビューの最大数を示す前記ＶＰＳのデータを復号し、
特性インジケータへのサンプルインデックスのマッピングを定義する情報を復号し、ここで前記マッピングを定義する前記情報を復号するために、前記ビデオデコーダは、複数の従属インデックスの各々についてのそれぞれの空間解像度、複数の時間インデックスの各々についてのフレームレート、または複数のビューインデックスの各々についてのビュー識別子のうちの１つまたは複数を復号するように構成され、
前記ＶＰＳに少なくとも部分的に基づいてビデオデータの前記複数のレイヤを復号する、
ように構成される、デバイス。
【請求項２５】
前記ＶＰＳを復号するように構成された前記ビデオデコーダは、仮想参照デコーダ（ＨＲＤ）パラメータの１つまたは複数のセットを示す前記ＶＰＳのデータを復号するようにさらに構成される、請求項２４に記載のデバイス。
【請求項２６】
前記ＶＰＳを復号するように構成された前記ビデオデコーダは、前記ＶＰＳが対応する規格を超える拡張を含むかどうかを示す前記ＶＰＳのデータと、前記ＶＰＳが前記拡張を含むときの前記拡張のためのデータとを復号するようにさらに構成される、請求項２４に記載のデバイス。
【請求項２７】
前記ビデオデコーダは、高効率ビデオコーディング（ＨＥＶＣ）、マルチビュービデオコーディング（ＭＶＣ）、およびスケーラブルビデオコーディング（ＳＶＣ）のうちの１つに従ってビデオデータの前記複数のレイヤを復号するように構成される、請求項２４に記載のデバイス。
【請求項２８】
前記デバイスは、前記ビデオデータを表示するように構成されたディスプレイをさらに備える、請求項２４に記載のデバイス。
【請求項２９】
集積回路、
マイクロプロセッサまたは、
前記ビデオデコーダを含むモバイルワイヤレス通信デバイス、
のうちの少なくとも１つを備える、請求項２４に記載のデバイス。
【請求項３０】
ビデオデータを復号するためのデバイスであって、
ビデオデータの複数のレイヤを備えるビットストリームについてビデオパラメータセット（ＶＰＳ）を復号する手段を備え、ビデオデータの前記複数のレイヤのそれぞれは前記ＶＰＳを参照し、前記ＶＰＳを復号する手段は、
ビデオデータの前記複数のレイヤのうちの少なくとも１つにおいて並べ替えられるフレームの数を示す前記ＶＰＳのデータを復号する手段と、
ビデオデータの前記複数のレイヤの復号中に復号ピクチャバッファ（ＤＰＢ）に記憶されるピクチャの数を示す前記ＶＰＳのデータを復号する手段と、
ビデオデータの前記複数のレイヤを含む前記ビットストリーム中の時間レイヤの最大数を示す前記ＶＰＳのデータを復号する手段と、
ビデオデータの前記複数のレイヤを示す前記ビットストリーム中のビューの最大数を示す前記ＶＰＳのデータを復号する手段と、
特性インジケータへのサンプルインデックスのマッピングを定義する情報を復号する手段と、ここで、前記マッピングを定義する前記情報を復号する手段は、複数の従属インデックスの各々についてのそれぞれの空間解像度、複数の時間インデックスの各々についてのフレームレート、または複数のビューインデックスの各々についてのビュー識別子、のうちの１つまたは複数を復号する手段を備え、
前記ＶＰＳに少なくとも部分的に基づいてビデオデータの前記複数のレイヤを復号する手段と、
を備える、デバイス。
【請求項３１】
前記ＶＰＳを復号する手段は、仮想参照デコーダ（ＨＲＤ）パラメータの１つまたは複数のセットを示す前記ＶＰＳのデータを復号する手段を備える、請求項３０に記載のデバイス。
【請求項３２】
前記ＶＰＳを復号する手段は、前記ＶＰＳが対応する規格を超える拡張を含むかどうかを示す前記ＶＰＳのデータと、前記ＶＰＳが前記拡張を含むときの前記拡張のためのデータとを復号する手段をさらに備える、請求項３０に記載のデバイス。
【請求項３３】
前記ＶＰＳを復号する手段は、高効率ビデオコーディング（ＨＥＶＣ）、マルチビュービデオコーディング（ＭＶＣ）、およびスケーラブルビデオコーディング（ＳＶＣ）のうちの１つに従ってビデオデータの前記複数のレイヤを復号する手段を備える、請求項３０に記載のデバイス。
【請求項３４】
命令を記憶した非一時的コンピュータ可読記憶媒体であって、前記命令は、実行されるとき、プロセッサに、
ビデオデータの複数のレイヤを備えるビットストリームについてビデオパラメータセット（ＶＰＳ）を復号させる命令を備え、ビデオデータの前記複数のレイヤのそれぞれは前記ＶＰＳを参照し、前記プロセッサに前記ＶＰＳを復号させる前記命令は、前記プロセッサに、
ビデオデータの前記複数のレイヤの少なくとも１つにおいて並べ替えられるフレームの数を示す前記ＶＰＳのデータを復号させる命令と、
ビデオデータの前記複数のレイヤの復号中に復号ピクチャバッファ（ＤＰＢ）に記憶されるピクチャの数を示す前記ＶＰＳのデータを復号させる命令と、
ビデオデータの前記複数のレイヤを含む前記ビットストリーム中の時間レイヤの最大数を示す前記ＶＰＳのデータを復号させる命令と、
ビデオデータの前記複数のレイヤを示す前記ビットストリーム中のビューの最大数を示す前記ＶＰＳのデータを復号させる命令と、
特性インジケータへのサンプルインデックスのマッピングを定義する情報を復号させる命令と、ここで、前記プロセッサに前記マッピングを定義する情報を復号させる前記命令は、実行されるとき、前記プロセッサに、複数の従属インデックスの各々についてのそれぞれの空間解像度、複数の時間インデックスの各々についてのフレームレート、または複数のビューインデックスの各々についてのビュー識別子、のうちの１つまたは複数を復号させる命令をさらに備え、
前記ＶＰＳに少なくとも部分的に基づいてビデオデータの前記複数のレイヤを復号させる命令と、
を備える、非一時的コンピュータ可読記憶媒体。
【請求項３５】
前記プロセッサに前記ＶＰＳを復号させる前記命令は、実行されるとき、前記プロセッサに仮想参照デコーダ（ＨＲＤ）パラメータの１つまたは複数のセットを示す前記ＶＰＳのデータを復号させる命令をさらに備える、請求項３４に記載の非一時的コンピュータ可読記憶媒体。
【請求項３６】
前記プロセッサに前記ＶＰＳを復号させる前記命令は、実行されるとき、前記ＶＰＳが対応する規格を超える拡張を含むかどうかを示す前記ＶＰＳのデータと、前記ＶＰＳが前記拡張を含むときの前記拡張のためのデータとを前記プロセッサに復号させる命令を備える、請求項３４に記載の非一時的コンピュータ可読記憶媒体。
【請求項３７】
前記プロセッサにビデオデータの前記複数のレイヤを復号させる前記命令は、実行されるとき、高効率ビデオコーディング（ＨＥＶＣ）、マルチビュービデオコーディング（ＭＶＣ）、およびスケーラブルビデオコーディング（ＳＶＣ）のうちの１つに従ってビデオデータの前記複数のレイヤを前記プロセッサに復号させる命令を備える、請求項３４に記載の非一時的コンピュータ可読記憶媒体。
【請求項３８】
前記ＶＰＳを復号するように構成される前記ビデオデコーダは、１つまたは複数のオペレーションポイント記述子を定義する情報を復号するように構成される、請求項２４に記載のデバイス。
【請求項３９】
前記１つまたは複数のオペレーションポイント記述子を定義する前記情報を復号するために、前記ビデオデコーダは、
最大オペレーションポイントの数、
異なるレイヤまたはビュー間の従属性、
前記オペレーションポイントの各々についてのプロファイルおよびレベル、または、
前記オペレーションポイントの各々についてのビットレート、
のうちの１つまたは複数を定義する情報を復号するように構成される、請求項３８に記載の方法。
【請求項４０】
前記ＶＰＳを復号する手段は、１つまたは複数のオペレーションポイント記述子を定義する情報を復号する手段を備える、請求項３０に記載のデバイス。
【請求項４１】
前記１つまたは複数のオペレーションポイント記述子を定義する前記情報を復号する手段は、
最大オペレーションポイントの数、
異なるレイヤまたはビュー間の従属性、
前記オペレーションポイントの各々についてのプロファイルおよびレベル、または、
前記オペレーションポイントの各々についてのビットレート、
のうちの１つまたは複数を定義する情報を復号する手段を備える、請求項４０に記載のデバイス。
【請求項４２】
前記プロセッサに前記ＶＰＳを復号させる前記命令は、実行されるとき、前記プロセッサに１つまたは複数のオペレーションポイント記述子を定義する情報を復号させる命令をさらに備える、請求項３４に記載の非一時的コンピュータ可読記憶媒体。
【請求項４３】
前記プロセッサに前記１つまたは複数のオペレーションポイント記述子を定義する前記情報を復号させる前記命令は、実行されるとき、前記プロセッサに、
最大オペレーションポイントの数、
異なるレイヤまたはビュー間の従属性、
前記オペレーションポイントの各々についてのプロファイルおよびレベル、または、
前記オペレーションポイントの各々についてのビットレート、
のうちの１つまたは複数を定義する情報を復号させる命令をさらに備える、請求項４２に記載の非一時的コンピュータ可読記憶媒体。